(57)【要約】【課題】用紙の表面に印刷が行われる際に用紙が通過する搬送経路に生じた用紙の詰まりを容易に解除できる。【解決手段】外扉Ｄ２は、本体３０の側面に設けられ、かつ、支軸４０を中心に回転可能に支持されている。内扉Ｄ１は、外扉Ｄ２よりも本体３０の内側に設けられ、かつ、支軸４０を中心に回転可能に支持されている。搬送経路Ｒ１は、本体３０内において内扉Ｄ１の内側に設けられ、用紙Ｐの表面又は裏面に印刷が行われる際に、用紙Ｐが通過する。搬送経路Ｒ４は、本体３０内において外扉Ｄ２と内扉Ｄ１との間に設けられ、用紙Ｐの裏面に印刷が行われる際に、用紙Ｐが通過する。内扉Ｄ１は、外扉Ｄ２が開けられる際に、外扉Ｄ２と一体となって回転させられる。【選択図】図４
2013019940.tif 000002
【特許請求の範囲】
【請求項１】
本体と、
前記本体の側面に設けられ、かつ、第１の軸を中心に回転可能に支持されている外扉と、
前記外扉よりも前記本体の内側に設けられ、かつ、前記第１の軸に平行な第２の軸を中心に回転可能に支持されている内扉と、
前記本体内において前記内扉の内側に設けられている第１の経路であって、印刷媒体の表面に印刷が行われる際に、該印刷媒体が通過する第１の経路と、
前記本体内において前記外扉と前記内扉との間に設けられている第２の経路であって、前記印刷媒体の裏面に印刷が行われる際に、該印刷媒体が通過する第２の経路と、
を備えており、
前記内扉は、前記外扉が開けられる際に、該外扉と一体となって回転させられること、
を特徴とする画像形成装置。
【請求項２】
前記内扉は、閉状態から所定角度まで前記外扉と一体となって回転させられること、
を特徴とする請求項１に記載の画像形成装置。
【請求項３】
前記本体は、第１の爪を有しており、
前記内扉は、前記第１の爪に係合する第２の爪、及び、該第２の爪と接続され、前記第１の軸に平行な第３の軸を中心に回転可能に支持されている第１のレバーを有しており、
前記外扉は、前記第１のレバーに係合する第３の爪を有しており、
前記外扉が開けられるために回転させられると、前記第３の爪が前記第１のレバーを回転させることによって、前記第１の爪と前記第２の爪との係合が解除されること、
を特徴とする請求項１又は請求項２のいずれかに記載の画像形成装置。
【請求項４】
前記第１のレバーと前記第３の爪との係合は、前記内扉が閉状態から所定角度まで回転したときに解除されること、
を特徴とする請求項３に記載の画像形成装置。
【発明の詳細な説明】
【技術分野】
【０００１】
本発明は、画像形成装置に関し、より特定的には、両面印刷を行うことができる画像形成装置に関する。
【背景技術】
【０００２】
従来の画像形成装置に関する発明として、例えば、特許文献１に記載のシート搬送装置が知られている。該シート搬送装置は、内側扉部と外側扉部を有する二重構造の開閉扉を備えている。内側扉部と装置本体との間には、第１のシート搬送路が設けられ、内側扉部と外側扉部との間には、第２のシート搬送路が設けられている。第１のシート搬送路は、用紙の表面に印刷が行われる際に該用紙が通過する経路である。第２のシート搬送路は、用紙の裏面に印刷が行われる際に、該用紙が通過する経路である。そして、シート搬送装置では、内側扉部は、外側扉部の開放に連動して、外側扉部と所定の間隔を開けた状態で解放される。
【０００３】
ところで、第１のシート搬送路を用紙が通過する頻度は、第２のシート搬送路を用紙が通過する頻度よりも高い。そのため、第１のシート搬送路において用紙の詰まりが発生する頻度は、第２のシート搬送路において用紙の詰まりが発生する頻度よりも高い。よって、内側扉部を開放した状態で用紙の詰まりを解除する作業の頻度は、外側扉部を開放した状態で用紙の詰まりを解除する作業の頻度よりも高い。
【０００４】
しかしながら、特許文献１に記載のシート搬送装置では、外側扉部と所定の間隔を開けた状態で内側扉部が解放されるため、第２のシート搬送路が大きく露出しない。そのため、該シート搬送装置では、第２のシート搬送経路に発生した用紙の詰まりを容易に解除できない。
【先行技術文献】
【特許文献】
【０００５】
【特許文献１】特開２００２−３５６２４４号公報
【発明の概要】
【発明が解決しようとする課題】
【０００６】
そこで、本発明の目的は、用紙の表面に印刷が行われる際に用紙が通過する搬送経路に生じた用紙の詰まりを容易に解除できる画像形成装置を提供することである。
【課題を解決するための手段】
【０００７】
本発明の一形態に係る画像形成装置は、本体と、前記本体の側面に設けられ、かつ、第１の軸を中心に回転可能に支持されている外扉と、前記外扉よりも前記本体の内側に設けられ、かつ、前記第１の軸に平行な第２の軸を中心に回転可能に支持されている内扉と、前記本体内において前記内扉の内側に設けられている第１の経路であって、印刷媒体の表面に印刷が行われる際に、該印刷媒体が通過する第１の経路と、前記本体内において前記外扉と前記内扉との間に設けられている第２の経路であって、前記印刷媒体の裏面に印刷が行われる際に、該印刷媒体が通過する第２の経路と、を備えており、前記内扉は、前記外扉が開けられる際に、該外扉と一体となって回転させられること、を特徴とする。
【発明の効果】
【０００８】
本発明によれば、用紙の表面に印刷が行われる際に用紙が通過する搬送経路に生じた用紙の詰まりを容易に解除できる。
【図面の簡単な説明】
【０００９】
【図１】画像形成装置の全体構成を示した図である。
【図２】画像形成装置の搬送経路近傍の拡大図である。
【図３】内扉及び外扉を上側から平面視した図である。
【図４】内扉及び外扉の斜視図である。
【図５】閉状態であるときの内扉及び外扉の前側の端部を上側から平面視した図である。
【図６】内扉及び外扉が開けられる際の内扉及び外扉の前側の端部を上側から平面視した図である。
【図７】内扉及び外扉が開けられる際の内扉及び外扉の前側の端部を上側から平面視した図である。
【図８】内扉及び外扉が開けられる際の内扉及び外扉の前側の端部を上側から平面視した図である。
【図９】内扉及び外扉が開けられる際の内扉及び外扉の前側の端部を上側から平面視した図である。
【図１０】外扉が閉じられる際の内扉及び外扉の前側の端部を上側から平面視した図である。
【図１１】外扉が閉じられる際の内扉及び外扉の前側の端部を上側から平面視した図である。
【図１２】外扉が閉じられる際の内扉及び外扉の前側の端部を上側から平面視した図である。
【図１３】外扉が閉じられる際の内扉及び外扉の前側の端部を上側から平面視した図である。
【発明を実施するための形態】
【００１０】
以下に、本発明の実施形態に係る画像形成装置について説明する。
【００１１】
（画像形成装置の構成）
以下に、本発明の実施形態に係る画像形成装置について図面を参照しながら説明する。図１は、画像形成装置１の全体構成を示した図である。以下では、図１の左右方向を左右方向と定義し、図１の上下方向を上下方向と定義し、図１の紙面垂直方向を前後方向と定義する。
【００１２】
画像形成装置１は、電子写真方式によるカラープリンタであって、いわゆるタンデム式で４色（Ｙ：イエロー、Ｍ：マゼンタ、Ｃ：シアン、Ｋ：ブラック）の画像を合成するように構成されている。該画像形成装置１は、スキャナにより読み取った画像データに基づいて、用紙に画像を形成する機能を有し、図１に示すように、印刷部２、給紙部１５、タイミングローラ対１９、定着装置２０、排紙ローラ２１、排紙トレイ２３、搬送ローラ対２４ａ〜２４ｆ、反転ローラ２５、本体３０及び搬送経路Ｒ１〜Ｒ４を備えている。
【００１３】
本体３０は、印刷部２、給紙部１５、タイミングローラ対１９、定着装置２０、排紙ローラ２１、排紙トレイ２３、搬送ローラ対２４ａ〜２４ｆ、反転ローラ２５及び搬送経路Ｒ１〜Ｒ４をその内部に収容している筐体である。
【００１４】
給紙部１５は、用紙（印刷媒体）Ｐを１枚ずつ供給する役割を果たし、用紙トレイ１６及び給紙ローラ１７を含む。用紙トレイ１６には、印刷前の状態の用紙Ｐが複数枚重ねて載置される。給紙ローラ１７は、用紙トレイ１６に載置された用紙Ｐを１枚ずつ取り出す。
【００１５】
搬送ローラ対２４ａは、給紙ローラ１７が取り出した用紙Ｐを上方へと搬送する。タイミングローラ対１９は、給紙ローラ１７及び搬送ローラ対２４ａにより搬送されてきた用紙Ｐにトナー画像が印刷部２において２次転写されるように、タイミングを調整しながら用紙Ｐを上方へ搬送する。
【００１６】
印刷部２は、給紙部１５から供給されてくる用紙にトナー画像を形成し、光走査装置６、中間転写ベルト１１、駆動ローラ１２、従動ローラ１３、２次転写ローラ１４及び作像ユニット２２（２２Ｙ，２２Ｍ，２２Ｃ，２２Ｋ）を含んでいる。また、作像ユニット２２（２２Ｙ，２２Ｍ，２２Ｃ，２２Ｋ）は、感光体ドラム４（４Ｙ，４Ｍ，４Ｃ，４Ｋ）を含んでいる。
【００１７】
感光体ドラム４（４Ｙ，４Ｍ，４Ｃ，４Ｋ）は、円筒形状をなしている。感光体ドラム４の周面には、光走査装置６により静電潜像が形成された後に、現像装置により静電潜像に基づくトナー画像が現像される。静電潜像の形成及びトナー画像の現像については、一般的な処理であるので詳細な説明を省略する。
【００１８】
中間転写ベルト１１は、駆動ローラ１２と従動ローラ１３との間に張り渡されている。中間転写ベルト１１には、感光体ドラム４に現像されたトナー画像が１次転写される。駆動ローラ１２は、中間転写ベルト駆動部（図１には記載せず）により回転させられることにより、中間転写ベルト１１を矢印αの方向に駆動させる。これにより、中間転写ベルト１１は、トナー画像を２次転写ローラ１４まで搬送する。
【００１９】
２次転写ローラ１４は、中間転写ベルト１１と対向し、ドラム形状をなしている。そして、２次転写ローラ１４は、転写電圧が印加されることにより、中間転写ベルト１１との間を通過する用紙Ｐに対して、中間転写ベルト１１が担持しているトナー画像を２次転写する。
【００２０】
トナー画像が２次転写された用紙Ｐは、定着装置２０に搬送される。定着装置２０は、用紙に対して加熱処理及び加圧処理を施すことにより、トナー画像を用紙Ｐに定着させる。搬送ローラ対２４ｂは、定着装置２０を通過した用紙Ｐを排紙ローラ２１に搬送する。排紙ローラ２１は、排紙トレイ２３上に用紙Ｐを出力する。
【００２１】
ここで、画像形成装置１は、用紙Ｐに対して両面印刷できる構成を有している。すなわち、画像形成装置１は、用紙Ｐの表面に印刷を行った後に、用紙Ｐの表裏を反転させて、用紙Ｐの裏面に印刷を行うことができる。
【００２２】
画像形成装置１において、搬送経路Ｒ１（第１の経路）は、給紙部１５から搬送ローラ対２４ｂの搬送方向の下流側に位置する分岐部分Ｂまでの経路を構成している。搬送経路Ｒ１は、ガイド（図１では太線により図示）により構成されている。搬送経路Ｒ１上には、搬送ローラ対２４ａ、タイミングローラ対１９、印刷部２、定着装置２０、搬送ローラ対２４ｂが、搬送方向の上流側から下流側へとこの順に並ぶように設けられている。搬送経路Ｒ１は、用紙Ｐの表面又は裏面に印刷が行われる際に、用紙Ｐが通過する経路である。そして、搬送経路Ｒ２，Ｒ３は、分岐部分Ｂにおいて搬送経路Ｒ１から２つに分岐している。
【００２３】
搬送経路Ｒ２は、分岐部分Ｂから排紙ローラ２１までの経路を構成している。搬送経路Ｒ２は、ガイド（図１では太線により図示）により構成されている。搬送経路Ｒ２上には、排紙ローラ２１が設けられている。搬送経路Ｒ２は、用紙Ｐの表面にのみ印刷が行われる際に、用紙Ｐが通過する経路である。
【００２４】
搬送経路Ｒ３は、分岐部分Ｂにおいて搬送経路Ｒ２よりも上側に分岐している。搬送経路Ｒ３は、ガイド（図１では太線により図示）により構成されている。搬送経路Ｒ３上には、反転ローラ２５が設けられている。搬送経路Ｒ３は、用紙Ｐの表面及び裏面に印刷が行われる際に、用紙Ｐが通過する経路である。反転ローラ２５は、搬送経路Ｒ１，Ｒ３から搬送されてきた用紙Ｐを本体３０外に搬送した後、用紙Ｐの搬送方向を反転させて、用紙Ｐを搬送経路Ｒ４へと搬送する。
【００２５】
搬送経路Ｒ４（第２の経路）は、分岐部分Ｂにおいて搬送経路Ｒ３と接続されており、ガイド（図１では太線により図示）により構成されている。搬送経路Ｒ４上には、搬送ローラ対２４ｃ〜２４ｆが、搬送方向の上流側から下流側へとこの順に並ぶように設けられている。搬送経路Ｒ４は、用紙Ｐの裏面に印刷が行われる際に、用紙Ｐが通過する経路である。搬送ローラ対２４ｃ〜２４ｆは、用紙Ｐを搬送経路Ｒ１へと搬送する。
【００２６】
ここで、用紙Ｐの両面にトナー画像が印刷される場合には、用紙Ｐは、搬送経路Ｒ１を搬送される。搬送経路Ｒ１の搬送中に、印刷部２において、用紙Ｐの表面にトナー画像が２次転写され、定着装置２０において、用紙Ｐの表面にトナー画像が定着される。そして、用紙Ｐは、搬送経路Ｒ３へと搬送される。搬送経路Ｒ３に搬送された用紙Ｐは、反転ローラ２５により本体３０外に搬送された後、搬送経路Ｒ４へと搬送される。そして、搬送経路Ｒ４を搬送された用紙Ｐは、表裏が反転した状態で、搬送経路Ｒ１内を搬送される。搬送経路Ｒ１の搬送中に、印刷部２において、用紙Ｐの裏面にトナー画像が２次転写され、定着装置２０において、用紙Ｐの裏面にトナー画像が定着される。この後、用紙Ｐは、搬送経路Ｒ２を搬送され、排紙ローラ２１により排紙トレイ２３に出力される。
【００２７】
（扉の構成）
次に、画像形成装置１の扉の構成について説明する。画像形成装置１の本体３０の右側の側面には、扉が設けられている。そして、該扉が開けられることにより、用紙Ｐのジャム処理が行われる。図２は、画像形成装置１の搬送経路Ｒ１，Ｒ４近傍の拡大図である。図３は、内扉Ｄ１及び外扉Ｄ２を上側から平面視した図である。図４は、内扉Ｄ１及び外扉Ｄ２の斜視図である。
【００２８】
画像形成装置１は、図２ないし図４に示すように、内扉Ｄ１及び外扉Ｄ２を更に備えている。外扉Ｄ２は、本体３０の右側の側面に設けられ、かつ、図３及び図４に示すように、上下方向に延在している支軸４０を中心に回転可能に支持されている。内扉Ｄ１は、外扉Ｄ２よりも本体３０の内側（すなわち、左側）に設けられ、支軸４０を中心に回転可能に支持されている。そして、搬送経路Ｒ１は、本体３０内において内扉Ｄ１の内側（左側）に設けられている。搬送経路Ｒ４は、本体３０内において外扉Ｄ２と内扉Ｄ１との間に設けられている。以下に、内扉Ｄ１及び外扉Ｄ２についてより詳細に説明する。
【００２９】
内扉Ｄ１は、本体３０内に設けられている搬送経路Ｒ１を構成するガイドＧ（図２参照）が設けられており、開状態において搬送経路Ｒ１内を本体３０外に露出させる。より詳細には、内扉Ｄ１は、図３に示すように、本体３０の後ろ側の端部において上下方向に延在する支軸４０を中心として回転することができる。そして、図２に示すように、内扉Ｄ１の左側の面には、ガイドＧが設けられている。ガイドＧは、搬送経路Ｒ１の右側を構成している。これにより、上方から平面視したときに支軸４０を軸にして反時計回りに内扉Ｄ１が回転させられて開状態にされると、ガイドＧが内扉Ｄ１と共に搬送経路Ｒ１から離れるので、搬送経路Ｒ１内が本体３０外に露出する。
【００３０】
外扉Ｄ２は、閉状態では内扉Ｄ１を覆い、開状態では内扉Ｄ１を本体３０外に露出させる。より詳細には、外扉Ｄ２は、図３に示すように、本体３０の後ろ側の端部において上下方向に延在する支軸４０を中心として回転することができる。そして、図２及び図３に示すように、外扉Ｄ２は、内扉Ｄ１よりも大きく、内扉Ｄ１よりも本体３０の外側（右側）に設けられている。これにより、外扉Ｄ２が閉状態となると、内扉Ｄ１には外扉Ｄ２が覆いかぶさるようになる。一方、外扉Ｄ２が開状態となると、内扉Ｄ１が露出し、搬送経路Ｒ４が露出する。外扉Ｄ２が開状態のときに、内扉Ｄ１が開状態となると、搬送経路Ｒ１内が本体３０外に露出する。
【００３１】
また、２次転写ローラ１４は、図２に示すように、内扉Ｄ１に設けられており、内扉Ｄ１が閉状態であるときに、図１に示すように、本体３０内に設けられている中間転写ベルト１１に接触することによって、所定の位置に位置決めされている。より詳細には、２次転写ローラ１４は、内扉Ｄ１の左側の面に設けられている。２次転写ローラ１４は、弾性体を内蔵する付勢部（図示せず）により、左上に押し出されている。これにより、内扉Ｄ１が閉じられると、２次転写ローラ１４は、図１に示すように、中間転写ベルト１１の駆動ローラ１２に巻きついている部分に圧接する。
【００３２】
ところで、画像形成装置１では、内扉Ｄ１は、外扉Ｄ２が開けられる際に、外扉Ｄ２と一体となって回転させられる。以下に、内扉Ｄ１及び外扉Ｄ２が開けられる際に一体となって回転するための構成について図面を参照しながら説明する。図５は、閉状態であるときの内扉Ｄ１及び外扉Ｄ２の前側の端部を上側から平面視した図である。
【００３３】
本体３０は、図５に示すように、爪５０ａ，５０ｂ（爪５０ａについては図示せず）を有している。爪５０ａ，５０ｂ（第１の爪）は、本体３０の右側の側面に設けられており、図５に示すように、鉤型をなしている。より詳細には、爪５０ａ，５０ｂは、右側に向かって延在し、かつ、後ろ側に向かって折れ曲がった形状をなしている。これにより、爪５０ａ，５０ｂは、左側において平坦な係合面Ｓ１を有している。また、爪５０ａは、爪５０ｂよりも上側に位置している。
【００３４】
内扉Ｄ１は、図４及び図５に示すように、爪５２ａ，５２ｂ（第２の爪）、レバー５４（第１のレバー）及び支軸５６を有している。支軸５６は、図４及び図５に示すように、内扉Ｄ１の前側の端部において、上下方向に延在している。すなわち、支軸５６は、支軸４０に対して平行である。また、支軸５６は、内扉Ｄ１に回転可能に取り付けられている。
【００３５】
レバー５４は、図４に示すように、支軸５６の上下方向の中央に設けられており、図５に示すように、鉤型をなしている。より詳細には、レバー５４は、支軸５６から右側に向かって延在し、かつ、後ろ側に向かって折れ曲がった形状をなしている。これにより、レバー５４は、左側において平坦な係合面Ｓ３を有している。
【００３６】
爪５２ａ，５２ｂはそれぞれ、支軸５６の上端及び下端に設けられている。これにより、爪５２ａ，５２ｂとレバー５４とは、支軸５６を介して接続されている。また、爪５２ａ，５２ｂは、鉤型をなしており、より詳細には、支軸５６から左側に向かって延在し、かつ、前側に向かって折れ曲がった形状をなしている。これにより、爪５２ａ，５２ｂは、右側において平坦な係合面Ｓ２を有している。そして、爪５２ａ，５２ｂは、図５に示すように、内扉Ｄ１が閉状態である場合において、爪５０ａ，５０ｂに係合する。具体的には、爪５０ａ，５０ｂの係合面Ｓ１と爪５２ａ，５２ｂの係合面Ｓ２とが接触する。これにより、内扉Ｄ１の閉状態が保たれる。
【００３７】
また、前記のとおり、支軸５６は、内扉Ｄ１に回転可能に取り付けられている。そのため、爪５２ａ，５２ｂ及びレバー５４は、支軸５６を中心として回転可能に支持されている。そして、爪５２ａ，５２ｂ及びレバー５４は、上側から平面視したときに、図示しない弾性部材により、支軸５６を中心として反時計回り方向に付勢されている。これにより、爪５０ａ，５０ｂと爪５２ａ，５２ｂとの係合が保たれている。
【００３８】
外扉Ｄ２は、図４及び図５に示すように、爪５８（第３の爪）、レバー６０、支軸６２及び爪６４ａ，６４ｂを有している。爪５８は、外扉Ｄ２の前側の端部において上下方向の中央に設けられており、前側に向かって突出している。爪５８は、右側において平坦な係合面Ｓ４を有しており、左側において平坦な傾斜面Ｓ５を有している。傾斜面Ｓ５は、係合面Ｓ４に対して、傾斜している。これにより、爪５８は、上側から平面視したときに、前側にいくにしたがって細くなっている。そして、爪５８は、図５に示すように、外扉Ｄ２が閉状態である場合において、レバー５４に係合する。具体的には、爪５８の係合面Ｓ４とレバー５４の係合面Ｓ３とが接触する。これにより、内扉Ｄ１と外扉Ｄ２とは一体となっている。
【００３９】
また、爪５８は、図示しない弾性部材により、前側に向けて付勢されている。これにより、爪５８とレバー５４との係合が保たれている。
【００４０】
支軸６２は、図４及び図５に示すように、外扉Ｄ２の前側の端部において、上下方向に延在している。また、支軸６２は、外扉Ｄ２に回転可能に取り付けられている。
【００４１】
レバー６０は、図４に示すように、支軸６２の上下方向の中央に設けられており、図５に示すように、Ｌ字型をなしている。より詳細には、レバー６０は、支軸６２から前側に向かって延在し、かつ、右側に向かって折れ曲がった形状をなしている。
【００４２】
爪６４ａ，６４ｂはそれぞれ、支軸６２の上端及び下端に設けられている。これにより、爪６４ａ，６４ｂとレバー６０とは、支軸６２を介して接続されている。爪６４ａ，６４ｂは、外扉Ｄ２が閉状態である場合において、本体３０に設けられている爪（図示せず）に係合する。これにより、外扉Ｄ２の閉状態が保たれる。
【００４３】
（扉の開動作）
次に、内扉Ｄ１及び外扉Ｄ２を開ける動作について図面を参照しながら説明する。図６ないし図９は、内扉Ｄ１及び外扉Ｄ２が開けられる際の内扉Ｄ１及び外扉Ｄ２の前側の端部を上側から平面視した図である。
【００４４】
まず、図５に示すように、内扉Ｄ１及び外扉Ｄ２は、閉状態である。ユーザは、レバー６０を時計回りに回転させる。これにより、爪６４ａ，６４ｂと本体３０の爪（図示せず）との係合が解除される。
【００４５】
次に、ユーザは、内扉Ｄ１及び外扉Ｄ２を開けるために、レバー６０を右方向に引く。これにより、外扉Ｄ２が支軸４０を中心として反時計回りに回転させられる。そして、爪５８は、図６に示すように、レバー５４に係合しているので、支軸５６を中心としてレバー５４を時計回りに回転させる。レバー５４は、爪５２ａ，５２ｂに接続されているので、爪５２ａ，５２ｂは、支軸５６を中心として時計回りに回転させられる。これにより、図７に示すように、爪５０ａ，５０ｂと爪５２ａ，５２ｂとの係合が解除される。ただし、図７の状態では、レバー５４と爪５８とは係合したままである。
【００４６】
ユーザは、レバー６０を更に右方向に引く。これにより、内扉Ｄ１は、図８及び図９に示すように、外扉Ｄ２と一体となって支軸４０を中心として反時計回りに回転させられる。内扉Ｄ１及び外扉Ｄ２の回転に伴って、爪５８は、レバー５４の係合面Ｓ３を後ろ側に向かって滑る。そして、レバー５４と爪５８との係合は、内扉Ｄ１が閉状態から所定角度だけ回転したときに、解除される。すなわち、内扉Ｄ１は、閉状態から所定角度だけ外扉Ｄ２と一体となって回転させられる。これにより、搬送経路Ｒ１が露出する。
【００４７】
この後、ユーザがレバー６０を右方向に引くと、外扉Ｄ２のみが支軸４０を中心として反時計回りに回転させられる。これにより、搬送経路Ｒ４が露出する。以上の動作により、内扉Ｄ１及び外扉Ｄ２が開けられる。
【００４８】
（扉の閉動作）
次に、外扉Ｄ２を閉じる動作について図面を参照しながら説明する。図１０ないし図１３は、外扉Ｄ２が閉じられる際の内扉Ｄ１及び外扉Ｄ２の前側の端部を上側から平面視した図である。
【００４９】
まず、図１０に示すように、内扉Ｄ１は閉状態であり、外扉Ｄ２は開状態である。ユーザは、外扉Ｄ２を閉じるために、レバー６０を左方向に押す。これにより、外扉Ｄ２が支軸４０を中心として時計回りに回転させられる。そして、レバー５４は、図１１に示すように、爪５８の傾斜面Ｓ５に接触する。
【００５０】
外扉Ｄ２が支軸４０を中心として時計回りに回転させられると、レバー５４は、傾斜面Ｓ５に押しつけられる。傾斜面Ｓ５は、上側から平面視したときに、前後方向に対して傾斜している。そのため、爪５８は、図１２に示すように、レバー５４により後ろ側に押しつけられて退避する。
【００５１】
この後、外扉Ｄ２が支軸４０を中心として時計回りに更に回転させられると、図１３に示すように、爪５８は、前側に復帰し、レバー５４と係合する。これにより、外扉Ｄ２は、内扉Ｄ１と一体となる。また、図１０ないし図１３の間に、爪６４ａ，６４ｂは、本体３０の爪（図示せず）に係合する。これにより、外扉Ｄ２は、本体３０に対して固定される。以上の動作により、外扉Ｄ２が閉じられる。
【００５２】
（効果）
以上のように構成された画像形成装置１によれば、搬送経路Ｒ１に生じた用紙Ｐの詰まりを容易に解除できる。より詳細には、特許文献１に記載のシート搬送装置では、外側扉部と所定の間隔を開けた状態で内側扉部が解放されるため、第２のシート搬送路が大きく露出しない。そのため、該シート搬送装置では、第２のシート搬送経路に発生した用紙の詰まりを容易に解除できない。
【００５３】
一方、画像形成装置１では、内扉Ｄ１は、外扉Ｄ２が開けられる際に、閉状態から所定角度まで外扉Ｄ２と一体となって回転させられる。これにより、内扉Ｄ１及び外扉Ｄ２が開けられる際には、本体３０と内扉Ｄ１との間の搬送経路Ｒ１のみが露出させられて、内扉Ｄ１と外扉Ｄ２との間の搬送経路Ｒ２が露出させられない。そのため、搬送経路Ｒ１が大きく露出するようになる。その結果、画像形成装置１では、搬送経路Ｒ１に生じた用紙Ｐの詰まりを容易に解除できる。
【００５４】
（その他の実施形態）
なお、本発明に係る画像形成装置は、前記実施形態に係る画像形成装置１に限らず、その要旨の範囲内において変更可能である。
【００５５】
画像形成装置１では、内扉Ｄ１と外扉Ｄ２は、支軸４０を中心として回転可能に支持されている。しかしながら、内扉Ｄ１と外扉Ｄ２とは異なる支軸を中心として回転可能に支持されていてもよい。ただし、この場合、２つの軸は、互いに平行であって、かつ、内扉Ｄ１と外扉Ｄ２とが一体となって回転できる程度の距離しか離れていないことが好ましい。
【産業上の利用可能性】
【００５６】
以上のように、本発明は、画像形成装置に有用であり、特に、用紙の表面に印刷が行われる際に用紙が通過する搬送経路に生じた用紙の詰まりを容易に解除できる点において優れている。
【符号の説明】
【００５７】
Ｒ１〜Ｒ４  搬送経路
１ 画像形成装置
３０  本体
４０，５６，６２  支軸
５０ａ，５０ｂ，５２ａ，５２ｂ，５８，６４ａ，６４ｂ  爪
５４，６０  レバー
Ｄ１  内扉
Ｄ２  外扉
【図１】
2013019940.tif 000003
【図２】
2013019940.tif 000004
【図３】
2013019940.tif 000005
【図５】
2013019940.tif 000006
【図６】
2013019940.tif 000007
【図７】
2013019940.tif 000008
【図８】
2013019940.tif 000009
【図９】
2013019940.tif 000010
【図１０】
2013019940.tif 000011
【図１１】
2013019940.tif 000012
【図１２】
2013019940.tif 000013
【図１３】
2013019940.tif 000014
【図４】
2013019940.tif 000015